(57)【特許請求の範囲】
【請求項１】
弁当箱本体と該弁当箱本体に被せる蓋体とからなる弁当箱において、
前記蓋体は、該蓋体の内側に弁当箱本体との被り代と略同じ高さの下向きの複数の蓋体勾配突起を格子状に形成し、該複数の蓋体勾配突起により断面を台形状とした深い複数の蓋体凹部を構成し、該各々の蓋体凹部の底面と該各々の蓋体勾配突起との接する各々の箇所にはＲ面を施し、
前記弁当箱本体は、該蓋体の各々の蓋体勾配突起と間隔をおいて上下に対峙すると共に、前記蓋体の各々の蓋体勾配突起に比し低い上向きの複数の本体勾配突起を格子状に形成し、該複数の本体勾配突起により断面を台形状とした浅い複数の本体凹部を構成し、該各々の本体凹部の底面と該各々の本体勾配突起との接する各々の箇所にはＲ面を施し、
前記弁当箱本体の複数の本体凹部と蓋体の複数の蓋体凹部とを夫々対面させた構成とした複数の飯入れ部から成る飯入れ部全体と成し、
該飯入れ部に通常の状態で飯を挿入して、蓋体を被せて、押え込むにつれて蓋体の各々の蓋体勾配突起と弁当箱本体の各々の本体勾配突起との間に直圧が加わり、各々の飯入れ部に挿入された飯全体の荷重を各々の蓋体勾配突起及び本体勾配突起数分だけ分断、及び分散させる共に蓋体の各々の蓋体凹部の内部に加圧が加わりＲ面に沿って盛り上がる、及び押さえ込むに連れて内圧により形崩れしない程よい飯が形成されて、弁当箱の飯全体の片寄りを防止する、
ことを特徴とする弁当箱。
【請求項２】
弁当箱本体及び蓋体の夫々の一方側を飯入れ部全体とし、他方側をおかず入れ部全体とした、
ことを特徴とする請求項１記載の弁当箱。
【発明の詳細な説明】
【０００１】
【発明の属する技術分野】
本発明は、弁当箱の蓋体と弁当箱本体の上部と下部に凹と凸の突起を付けて飯の片寄りを無くし、また、密閉したおかず入れ部を一体化して装着したことで持ち運ぶ角度及び状態によらず、飯の片寄りがなく、自由な持ち運びができる弁当箱に関するものである。
【０００２】
【従来の技術】
従来の弁当箱は、横（水平）に持ち運ぶ物で、その幅以上に手を広げて運ぶ物であり手の疲れがひどく、また人通りの多い所では、他人に迷惑を掛けるのを気にして動きにくいので不便である。
そして、弁当箱の持ち運び方によっては、飯が片側に片寄り人前では開けずらく、誰もが苦笑した経験があり、この解決策として考え出されたのが水平２段式弁当箱であるが、持ち広げ幅が半分に成っただけで、飯が片寄る問題は解消されていない。その上、この水平２段式弁当箱は、長方形角型でカバンに入らず外姿が悪く女性や会社員等に嫌われた弁当箱である点がデメリットとして付加された。
次に考え出されたのが、飯に圧力を掛けて該飯を押し固めた弁当箱であるが、食べる時は、該飯が餅風に成り飯の感覚がしない。すなわち、この押し固めた弁当箱の飯は適度の固さ以上となってしまうので飯の感覚がせず、日本古来の主食から掛け離れたものとなっている。したがって、各メーカーは、弁当箱に対して膨大な研究費や試作費をついやして研究したが解決しなかった。
【０００３】
【本発明が解決しょうとする課題】
そこで、本発明は、上記に鑑みてなされたもので、その課題は弁当箱の飯が適度の硬さを保ち、飯の片寄りのない弁当箱を提供することである。付言すると、本発明は弁当を作る人、食べる人達の強い要望に答えることを、課題とするものである。具体的な課題は、以下の通りである。
（イ）持ち運びが縦（垂直）持ち、横（水平）持ち、又は自由な角度で運搬しても弁当箱の飯の片寄りが発生しない事。
（ロ）書物と同様に薄いカバンに収納できる事。
（ハ）弁当箱の特性として、味と味覚を失わずに食欲を誘う弁当箱である事。
（ニ）弁当箱に飯を詰めるのに特別な時間を必要としない事。
（ホ）飯の詰め込み硬さが良好で、美味しい弁当箱の飯である事。
（ヘ）弁当箱の製作者の真心が食する人に伝わる弁当箱である事。
【０００４】
【課題を解決する為の手段】
上記の課題を達成するために、本発明の弁当箱においては、下記のような手段を取った。
請求項１に記載の本発明は、弁当箱本体と該弁当箱本体に被せる蓋体とからなる弁当箱において、前記蓋体は、該蓋体の内側に弁当箱本体との被り代と略同じ高さの下向きの複数の蓋体勾配突起を格子状に形成し、該複数の蓋体勾配突起により断面を台形状とした深い複数の蓋体凹部を構成し、該各々の蓋体凹部の底面と該各々の蓋体勾配突起との接する各々の箇所にはＲ面を施し、前記弁当箱本体は、該蓋体の各々の蓋体勾配突起と間隔をおいて上下に対峙すると共に、前記蓋体の各々の蓋体勾配突起に比し低い上向きの複数の本体勾配突起を格子状に形成し、該複数の本体勾配突起により断面を台形状とした浅い複数の本体凹部を構成し、該各々の本体凹部の底面と該各々の本体勾配突起との接する各々の箇所にはＲ面を施し、前記弁当箱本体の複数の本体凹部と蓋体の複数の蓋体凹部とを夫々対面させた構成とした複数の飯入れ部から成る飯入れ部全体と成し、該飯入れ部に通常の状態で飯を挿入して、蓋体を被せて、押え込むにつれて蓋体の各々の蓋体勾配突起と弁当箱本体の各々の本体勾配突起との間に直圧が加わり、各々の飯入れ部に挿入された飯全体の荷重を各々の蓋体勾配突起及び本体勾配突起数分だけ分断、及び分散させる共に蓋体の各々の蓋体凹部の内部に加圧が加わりＲ面に沿って盛り上がる、及び押さえ込むに連れて内圧により形崩れしない程よい飯が形成されて、弁当箱の飯全体の片寄りを防止する、ことを特徴とする弁当箱である。
また、請求項２に記載の本発明は、弁当箱本体及び蓋体の夫々の一方側を飯入れ部全体とし、他方側をおかず入れ部全体とした、ことを特徴とする請求項１記載の弁当箱である。
【０００５】
【発明の実施の形態】
次に、本発明の実施の形態を図面に基づいて説明する。
図１は、本発明の一実施例である弁当箱の平面図である。図２は本発明の弁当箱の蓋体の平面図であり、図３は弁当箱本体の平面図である。図４〜図６は、夫々図１のＡ−Ａ断面図、Ｂ−Ｂ断面図、Ｃ−Ｃ断面図である。
図７は弁当箱本体の飯入れ部全体の平面図であり、図８は図７のＤ−Ｄ断面図であり、図９はＥ−Ｅ断面図である。
図１０は弁当箱本体のおかず入れ部全体の平面図であり、図１１は図１０のＦ−Ｆ断面図であり、図１２はＧ−Ｇ断面図である。
図１３は図３のおかず入れ中仕切り板の平面図であり、図１４は正面図であり、図１５は側面図である。
次に本発明の一実施例の形態を説明する。
図１〜図６に示すように、本発明の弁当箱は、蓋体（１）の内側に蓋体勾配突起（４）と蓋体凹部（３）で構成される凹凸突起仕切りを２個以上を設けて、弁当箱本体（２）の底面に本体勾配突起（６）と本体凹部（５）で構成される凹凸突起仕切りを２個以上を設けて成る弁当箱である。
そして、該弁当箱本体（２）に飯を詰めて（すなわち、挿入して）、蓋体（１）をかぶせる。
【０００６】
そして、蓋体（１）と弁当箱本体（２）とで飯をはさむ事により、飯の移動が凹凸突起仕切りにより、持ち運びによる振動で引き起される片寄りが防止される。
換言すると、前記弁当箱本体（２）の複数の本体凹部（５）と蓋体（１）の複数の蓋体凹部（３）とを夫々対面させた構成とした複数の飯入れ部（７）と成し、該複数の飯入れ部（７）に通常の状態で飯を挿入して、蓋体（１）を被せて、押え込むにつれて蓋体（１）の各々の蓋体勾配突起（４）と弁当箱本体（２）の各々の本体勾配突起（６）との間に直圧が加わり、飯入れ部（７）に挿入された飯全体の荷重を各々の蓋体勾配突起（４）及び本体勾配突起（６）数分だけ分断、及び分散させる共に蓋体（１）の各々の蓋体勾配突起（４）分だけ蓋体（１）の各々の蓋体凹部（３）の内部に加圧が加わりＲ面に沿って盛り上がる、及び押さえ込むに連れて内圧により形崩れしない程よい飯が形成されて、弁当箱の飯全体の片寄りを防止する、ことになる。
【０００７】
また、弁当箱が傾いた時、弁当箱本体（２）の複数の本体勾配突起（６）と複数の本体凹部（５）及び蓋体（１）の複数の蓋体勾配突起（４）と複数の蓋体凹部（３）とで構成された凹凸突起仕切りにより複数の飯入れ部（７）と成した立体容積が飯を固定するくさび役をして、すなわち、該飯を支えて片寄りを防止する。
【０００８】
再度、説明すると、本発明の弁当箱は、弁当箱の蓋体（１）の内側に蓋体勾配突起（４）と蓋体凹部（３）及び弁当箱本体（２）の本体勾配突起（６）と本体凹部（５）とで構成される凹凸突起仕切りを各々２個以上設けて、該蓋体凹部（３）の底面と蓋体勾配突起（４）との接する箇所にはＲ面を施し、及び該本体凹部（５）の底面と本体勾配突起（６）との接する箇所にはＲ面を施して、複数の飯入れ部（７）に詰めた（すなわち、挿入した）飯に対する抜き勾配曲面構造としたものである。
そして、蓋体（１）に回動自在に設けられた左右の蓋止め具（１４）、（１４）を弁当箱本体（２）に設けられた左右の蓋止め（１６）、（１６）に係止して該蓋体（１）を弁当箱本体（２）に固定すると、該蓋体（１）と弁当箱本体（２）に各々設けられた凹凸突起仕切りとＲ面の抜き勾配が、飯全体に程よい圧力を加え飯を保持するくさび役と飯の片寄り防止役を一層強めると共に程よい圧力加減が美味を誘う。また、蓋体（１）を弁当箱本体（２）より外す時は蓋体勾配突起（４）が抜き勾配である為、必要な力がいらず、簡単に外せる。
【０００９】
また、弁当箱の蓋体（１）の内側の蓋体勾配突起（４）と蓋体凹部（３）及び弁当箱本体（２）の本体勾配突起（６）と本体凹部（５）の凹凸仕切りの仕切り数と各々仕切りの高さは弁当箱の大きさにより調整できる。
【００１０】
また、図７に示すように、弁当箱の蓋体（１）の内側の蓋体勾配突起（４）と蓋体凹部（３）及び弁当箱本体（２）の本体勾配突起（６）と本体凹部（５）の凹凸仕切りの凹凸で作り出す様に施した幾何学的模様は、今迄と違う弁当の美味、及び美食を誘う。
【００１１】
また、弁当箱で作るおにぎりは、弁当箱本体（２）に飯を詰めて、蓋体（１）を被せて仮り閉めする。そして、該蓋体（１）を開けると、蓋体勾配突起（４）と蓋体凹部（３）とで構成される空間の飯入れ部（７）に詰められた飯の表面が現れるので、該表面に箸で突いて穴を空けて小物おかずを詰めて蓋体（１）をかぶせて固定する。そして、食する時、蓋体（１）を開けて図８及び図９に示す蓋体勾配突起（４）で形成された飯の溝にそって箸を入れて、飯入れ部（７）の表面を箸で押えて飯の溝を切れば底部分はきれいに取れて、１口おにぎりの出来上がりである。
【００１２】
また、図１、図３、及び図４に示すように、弁当箱本体（２）に飯入れ区切り板（８）を設けて、複数のおかず入れ部（９）から成るおかず入れ部全体を設けることもできる。また、おかず入れ部全体は複数のおかず入れ区切り板（１１）、（１１）、…を設け、複数のおかず入れ部（９）、（９）、…とすることができる。また、おかず入れ部（９）に、図１３〜図１５に示すおかず入れ中仕切り板（１２）を設けて、図１に示すように、おかず入れ部（９）を小分けに仕切ることができる。また、該おかず入れ部（９）の開放側は、おかず入れ中蓋（１０）を被せて密閉することができる。
また、おかず入れ中仕切り板（１２）は、図１４に示す正面図が長方形の直方体であり、該直方体の底面及び左右の側面に溝であるスライドガイド（１７）を設けている。該スライドガイド（１７）を図６に示す弁当箱本体（２）のおかず入れ部（９）設けたおかず入れ部突起（図６に示す破線）（１７ａ）に嵌めこんでおかず入れ部（９）に固定する。
また、おかず入れ中蓋（１０）は、図４、図６、及び図１０〜図１２に示すように、おかず入れ部全体に嵌め込まれるようにしたもので、おかず入れ中蓋（１０）を開けるときは、該おかず入れ中蓋（１０）の左右に設けられた中蓋開放爪（１３）、（１３）に指を掛けて開けるとよい。
【００１３】
また、図１、図３、図６に示すように、弁当箱本体（２）の側面には、箸入れスライド式（１８）を設けて箸入れとすることができる。
【００１４】
また、図１〜図４に示すように、蓋体（１）の側面に回動自在の蓋止め具（１４）を設けて、該蓋止め具（１４）を弁当箱本体（２）の側面に設けた突起状の蓋止め（１６）に係止することにより、蓋体（１）と弁当箱本体（２）とを固定することができる。
また、図４〜図６に示すように、蓋体（１）と弁当箱本体（２）を固定する（すなわち、密閉する）に際しては、密閉用パッキン（１５）を使用するとよい。
【００１５】
また、本発明の弁当箱は、図１に示すように、弁当箱の蓋体（１）の内側に蓋体凹部（３）の底面と蓋体勾配突起（４）との接する箇所にはＲ面を施し、及び弁当箱本体（２）の内側の本体凹部（５）の底面と本体勾配突起（６）との接する箇所にはＲ面を施したことにより、該蓋体勾配突起（４）及び本体勾配突起（６）が飯の抜き勾配となり、飯が容易に取り出すことができ、また弁当箱を洗うとき蓋体（１）及び弁当箱本体（２）のＲ面により角が無いので洗浄が簡単である。
【００１６】
また、本発明の弁当箱は、持ち運びに、角度を選ばず、縦形（垂直）または横形（水平）のいずれでもよく、更に、食べる人には、愛情を飯と共に詰めて運ぶ弁当箱である。
このように、本発明の弁当箱は、弁当箱本体（２）と該弁当箱本体（２）に被せる蓋体（１）とからなる弁当箱において、前記蓋体（１）は、該蓋体（１）の内側に弁当箱本体（２）との被り代Ｔ（図４及び図５に示す）と略同じ高さの下向きの複数の蓋体勾配突起（４）、（４）、…を格子状に形成し、該各々の蓋体勾配突起（４）により断面を台形状とした深い複数の蓋体凹部（３）、（３）、…を構成し、該各々の蓋体凹部（３）の底面と該各々の蓋体勾配突起（４）との接する各々の箇所にはＲ面を施し、前記弁当箱本体（２）は、該蓋体（１）の各々の蓋体勾配突起（４）と間隔をおいて上下に対峙すると共に、前記蓋体（１）の各々の蓋体勾配突起（４）に比し低い上向き本体勾配突起（６）を格子状に形成し、該複数の本体勾配突起（６）、（６）、…により断面を台形状とした浅い複数の本体凹部（５）、（5）、…を構成し、該各々の本体凹部（５）の底面と該各々の本体勾配突起（６）との接する各々の箇所にはＲ面を施し、前記弁当箱本体（２）の複数の本体凹部（５）、（５）、…と蓋体（１）の複数の蓋体凹部（３）、（３）、…とを夫々対面させた構成とした複数の飯入れ部（７），（７），…から成る飯入れ部全体と成し、該飯入れ部（７）に通常の状態で飯を挿入して、蓋体（１）を被せて、押え込むにつれて蓋体（１）の各々の蓋体勾配突起（４）と弁当箱本体（２）の各々の本体勾配突起（６）との間に直圧が加わり、飯入れ部（７）に挿入された飯全体の荷重を各々の蓋体勾配突起（４）及び本体勾配突起（６）数分だけ分断、及び分散させる共に蓋体（１）の各々の蓋体勾配突起（５）分だけ蓋体（１）の各々の蓋体凹部（３）の内部に加圧が加わりＲ面に沿って盛り上がる、及び押さえ込むに連れて内圧により形崩れしない程よい飯が形成されて、弁当箱の飯全体の片寄りを防止する、ことを特徴とするものである。尚、追加して説明すると、蓋体（１）の各々の蓋体勾配突起（４）に比し低い上向き本体勾配突起（６）とは、図４及び図５に示すように、本体勾配突起（６）の高さＳは、被り代Ｔと略同じ高さの下向きの複数の蓋体勾配突起の高さよりも低いということである。
また、本発明の弁当箱は、弁当箱本体（２）及び蓋体（１）の夫々の一方側を飯入れ部全体とし、他方側をおかず入れ部全体とした、ことを特徴とするものである。
【００１７】
また、蓋体（１）に蓋体勾配突起（４）と蓋体凹部（３）を設けず、該蓋体勾配突起（４）と該蓋体凹部（３）を設けて凹と凸の突起を成形した樹脂板を、該蓋体（１）の底に敷き、弁当箱本体（２）に本体勾配突起（６）と本体凹部（５）を設けず、該本体勾配突起（６）と該本体凹部（５）を設けて凹と凸の突起を成形して樹脂板を、該弁当箱本体（２）の底に敷いた弁当箱としてもよい。当該弁当箱も本発明の弁当箱と同様な効果を奏する。
また、蓋体（１）及び弁当箱本体（２）は、合成樹脂で成形すると蓋体勾配突起（４）、本体勾配突起（６）等の成形が容易である。
【００１８】
【発明の効果】
（イ）蓋体の内部に設けた凹凸突起区切りと弁当箱本体の底部に設けた凹凸突起区切りで飯を挟み込む事により飯の重みを四方に分散させて飯の片寄りを防止する。
（ロ）飯の片寄りが無いので自由な持ち方ができて、持ち運びが楽である。
（ハ）適度の弁当圧力で美味しい食事ができる。
（ニ）おかず入れが二重蓋に成って、汁のこぼれの気ずかいが不要である。
（ホ）不必要な力の圧力で弁当が出来ていないので、味の良い食事が出来る。
また、本発明の弁当箱は元来の持ち方、形態を変えた事で次の付加価値がある。
（ａ）飯が片寄らないので、薄いカバンに収納し本と一緒に持ち運びがてきる。
（ｂ）弁当箱の蓋体を開けた時蓋体の凹凸と区切り枠が美しい感覚を与える。
（ｃ）弁当を作った人の真心をそのまま食する人に感じさせる。
（ｄ）飯を食する時、飯の上部にある凹凸の突起の跡形やＲ面の作り出した幾何学的模様にて、いつそう美味しさを与える。
（ｅ）飯の上部で、蓋の作り出した凹部に箸を入れる事により適度の大きさで切り取れて、その部分がにぎり寿司風に美しく、切り取れる。
（ｆ）飯を弁当に詰めて蓋体をして、該蓋体を取り除き、飯上部、凸部分に箸で穴を作りその部分に簡単なおかず、色物調味を入れて乗せて再度蓋体で閉じる。そして、食する為に蓋体を開けて、飯の溝部を箸で切るとその部分が取れるので、一口の握り寿司風の物が表れて、食する人をいっそう楽しませてくれる。
【図面の簡単な説明】
【図１】  図１は本発明の一実施例である弁当箱の平面図である。
【図２】 図２は本発明の弁当箱の蓋体の平面図である。
【図３】 図３は弁当箱本体の平面図である。
【図４】 図４は図１のＡ−Ａ断面図である。
【図５】  図５は図１のＢ−Ｂ断面図である。
【図６】  図６は図１のＣ−Ｃ断面図である。
【図７】  図７は弁当箱本体の飯入れ部の平面図である。
【図８】 図８は図７にＤ−Ｄ断面図である。
【図９】 図９は図７のＥ−Ｅ断面図である。
【図１０】  図１０は弁当箱本体のおかず入れ中蓋の平面図である。
【図１１】 図１１は図１０のＦ−Ｆ断面図である。
【図１２】  図１２は図１０のＧ−Ｇ断面図である。
【図１３】  図１３は図３のおかず入れ中仕切り板の平面図である。
【図１４】  図１４は図３の正面図である。
【図１５】 図１５は図３の側面図である。
【符号の説明】
１  蓋体
２  弁当箱本体
３  蓋体凹部
４  蓋体勾配突起
５  本体凹部
６  本体勾配突起
７  飯入れ部
８  飯入れ区切り板
９  おかず入れ部
１０  おかず入れ中蓋
１１  おかず入れ区切り板
１２  おかず入れ中仕切り板
１３  中蓋開放爪
１４  蓋止め具
１５  密閉用パッキン
１６  蓋止め
１７  スライドガイド      １７ａ  おかず入れ部突起
１８  箸入れスライド式
Ｔ  被り代
Ｓ  高さ
【図１】
0004067085.tif 000002
【図２】
0004067085.tif 000003
【図３】
0004067085.tif 000004
【図４】
0004067085.tif 000005
【図５】
0004067085.tif 000006
【図６】
0004067085.tif 000007
【図７】
0004067085.tif 000008
【図８】
0004067085.tif 000009
【図９】
0004067085.tif 000010
【図１０】
0004067085.tif 000011
【図１１】
0004067085.tif 000012
【図１２】
0004067085.tif 000013
【図１３】
0004067085.tif 000014
【図１４】
0004067085.tif 000015
【図１５】
0004067085.tif 000016